【手続補正書】
【提出日】平成18年7月12日(2006.7.12)
【手続補正１】
【補正対象書類名】明細書
【補正対象項目名】特許請求の範囲
【補正方法】変更
【補正の内容】
【特許請求の範囲】
【請求項１】  複数のユーザに対して、複数のテレビ番組がオンデマンドで録画され、検索される双方向テレビ番組ガイドシステムであって、
該システムは、
各ユーザに対して、オンデマンドで複数の番組を格納し、検索する手段と、
各ユーザに対して、リモートメディアサーバ（２４）によってオンデマンドで検索された複数の番組を各ユーザに配信する手段と、
該ユーザが該リモートメディアサーバ（２４）を用いてオンデマンドで番組を録画したい旨を示すことに応答して、該双方向テレビ番組ガイドシステムにより録画リクエストを生成する手段と、
該ユーザが該リモートメディアサーバ（２４）を用いてオンデマンドで番組を再生したい旨を示すことに応答して、該双方向テレビ番組ガイドシステムにより検索リクエストを生成する手段と、
該双方向テレビ番組ガイドによって生成された該録画リクエストに応答して、番組を録画する手段と、
該双方向テレビ番組ガイドによって生成された該検索リクエストに応答して、番組を検索する手段と
を備えた、システム。
【請求項２】  前記複数の番組を各ユーザに配信する手段は、少なくとも１つのファイルとして各プログラムを配信することを含む、請求項１に記載のシステム。
【請求項３】  前記複数の番組を各ユーザに配信する手段は、１つ以上のデジタルデータストリームで各プログラムを配信することを含む、請求項１に記載のシステム。
【請求項４】  前記リモートメディアサーバ（２４）によって検索された、ユーザテレビ機器（２２）上のプログラムを再生する手段をさらに備えている、請求項１に記載のシステム。
【請求項５】  前記リモートメディアサーバ（２４）によって格納された前記複数の番組に関連付けられた番組ガイドデータをオンデマンドで格納し、検索する手段と、
関連付けられた番組があたかも最初に放送されているかのように、ユーザテレビ機器（２２）上の番組ガイドデータを前記複数のユーザに提示する手段と
をさらに備えている、請求項１に記載のシステム。
【請求項６】  複数のユーザに対して、複数のテレビ番組がリモートメディアサーバによってオンデマンドで録画され、再生される双方向テレビ番組ガイドシステムにおいて用いられる方法であって、
該方法は、
該ユーザが該リモートメディアサーバを用いてオンデマンドで番組を録画したい旨を示すことに応答して、録画リクエストを生成することと、
該ユーザが該リモートメディアサーバを用いてオンデマンドで該番組を再生したい旨を示すことに応答して、再生リクエストを生成することと、
該録画リクエストに応答して、該リモートメディアサーバを用いて該番組を録画することと、
該再生リクエストに応答して、該リモートメディアサーバを用いて該番組を再生することと
を包含する、方法。
【請求項７】  複数のユーザに対して、複数のテレビ番組がオンデマンドで録画され、再生される双方向テレビ番組ガイドシステムにおいて用いられる方法であって、
該方法は、
該ユーザがリモートメディアサーバ（２４）を用いて番組を録画したい旨を示すことに応答して、番組を録画することと、
該ユーザが該リモートメディアサーバ（２４）を用いて該番組を再生したい旨を示すことに応答して、該番組を検索することと
を包含する、方法。
【請求項８】  少なくとも１つのファイルとして、前記番組を前記ユーザに配信することをさらに包含する、請求項７に記載の方法。
【請求項９】  １つ以上のデジタルデータストリームで、前記番組を前記ユーザに配信することをさらに包含する、請求項７記載の方法。
【請求項１０】  ユーザのリクエストに応答して、番組を再生することをさらに包含する、請求項７に記載の方法。
【請求項１１】  少なくとも１つの番組に対する録画リクエストに応答して、前記リモートメディアサーバ（２４）を用いて該番組に関連付けられた番組ガイドデータをオンデマンドで格納することと、
前記ユーザが該番組を再生したい旨を示すことに応答して、該リモートメディアサーバ（２４）を用いて該番組ガイドデータを検索することと、
該関連付けられた番組があたかも最初に放送されているかのように該番組ガイドデータを提示することと
をさらに包含する、請求項７に記載の方法。
【請求項１２】  複数のユーザに対して、複数のテレビ番組がリモートメディアサーバによってオンデマンドで録画され、再生される双方向テレビ番組ガイドシステムであって、
該システムは、
該ユーザが該リモートメディアサーバを用いてオンデマンドで番組を録画したい旨を示すことに応答して、録画リクエストを生成する手段と、
該ユーザが該リモートメディアサーバを用いてオンデマンドで該番組を再生したい旨を示すことに応答して、再生リクエストを生成する手段と、
該録画リクエストに応答して、該リモートメディアサーバを用いて該番組を録画する手段と、
該再生リクエストに応答して、該リモートメディアサーバ（２４）を用いて該番組を再生する手段と
を備えた、システム。
【請求項１３】  複数のユーザに対して、複数のテレビ番組をオンデマンドで録画され、再生される双方向テレビ番組ガイドシステムにおいて用いられるシステムであって、
該システムは、
該ユーザがリモートメディアサーバ（２４）を用いて番組を録画したい旨を示すことに応答して、番組を録画する手段と、
該ユーザが該リモートメディアサーバ（２４）を用いて該番組を再生したい旨を示すことに応答して、該番組を検索する手段と
を備えた、システム。
【請求項１４】  少なくとも１つのファイルとして、前記番組を前記ユーザに配信する手段をさらに備えている、請求項１３に記載のシステム。
【請求項１５】  １つ以上のデジタルデータストリームで、前記番組を前記ユーザに配信する手段をさらに備えている、請求項１３に記載のシステム。
【請求項１６】  ユーザのリクエストに応答して、番組を再生する手段をさらに備えている、請求項１３に記載のシステム。
【請求項１７】  少なくとも１つの番組に対する録画リクエストに応答して、前記リモートメディアサーバ（２４）を用いて該番組に関連付けられた番組ガイドデータをオンデマンドで格納する手段と、
前記ユーザが該番組を再生したい旨を示すことに応答して、該リモートメディアサーバ（２４）を用いて該番組ガイドデータを検索する手段と、
該関連付けられた番組があたかも最初に放送されているかのように該番組ガイドデータを提示する手段と
をさらに備えている、請求項１３に記載のシステム。
【請求項１８】  複数のユーザに対して、複数のテレビ番組がオンデマンドで録画され、再生される双方向テレビ番組ガイドシステムにおいて用いられる方法であって、
該方法は、
各ユーザに対して、オンデマンドで複数の番組を格納し、検索することと、
各ユーザに対して、リモードメディアサーバ（２４）によってオンデマンドで検索された複数の番組を各ユーザに配信することと、
該ユーザが該リモートメディアサーバ（２４）によってオンデマンドで番組を録画したい旨を示すことに応答して、該双方向テレビ番組ガイドシステムにより録画リクエストを生成することと、
該ユーザが該リモートメディアサーバ（２４）によってオンデマンドで番組を再生したい旨を示すことに応答して、該双方向テレビ番組ガイドシステムにより検索リクエストを生成することと、
該双方向テレビ番組ガイドによって生成された該録画リクエストに応答して、番組を録画することと、
該双方向テレビ番組ガイドによって生成された該検索リクエストに応答して、番組を検索することと
を包含する、方法。
【請求項１９】  前記複数の番組を各ユーザに配信することは、少なくとも１つのファイルとして各プログラムを配信することを包含する、請求項１８に記載の方法。
【請求項２０】  前記複数の番組を各ユーザに配信することは、１つ以上のデジタルデータストリームで各プログラムを配信することを包含する、請求項１８に記載の方法。
【請求項２１】  前記リモートメディアサーバ（２４）によって検索された、ユーザテレビ機器（２２）上のプログラムを再生することをさらに包含する、請求項１８に記載の方法。
【請求項２２】  前記リモートメディアサーバ（２４）によって格納された番組に関連付けられた番組ガイドデータをオンデマンドで格納し、検索することと、
関連付けられた番組があたかも最初に放送されているかのように、ユーザテレビ機器（２２）上の番組ガイドデータを前記複数のユーザに提示することと
をさらに包含する、請求項１８に記載の方法。